(57)【要約】      （修正有）【課題】良好な光学特性も有しつつ、長さが短縮された光学撮像レンズを提供する。【解決手段】物体側から像側へ順に配置される５つのレンズ素子を備える。第１のレンズ素子１１０は、正の屈折力を有するとともに、凸面をなす物体側の面１１１を有し、第２のレンズ素子１２０は、負の屈折力を有し、第３のレンズ素子１３０は、正の屈折力を有し、第４のレンズ素子１４０は、凸面をなす像側の面１４２を有し、第５のレンズ素子１５０は、光軸近傍に凹部をなす物体側の面１５１と、光軸近傍に凹部をなし且つ周縁部近傍に凸部をなす像側の面１５２と、を有する。【選択図】図１
2014081626.tif 000002
【特許請求の範囲】
【請求項１】
光学撮像レンズであって、
各々が物体側に向いた物体側の面と像側に向いた像側の面とを有する第１のレンズ素子、第２のレンズ素子、第３のレンズ素子、第４のレンズ素子、および第５のレンズ素子のみを、屈折力を有するレンズ素子として第１乃至第５の順に物体側から像側へ亘って備え、
前記第１のレンズ素子は、正の屈折力を有するとともに、凸面をなす前記物体側の面を有し、
前記第２のレンズ素子は、負の屈折力を有し、
前記第３のレンズ素子は、正の屈折力を有し、
前記第４のレンズ素子は、凸面をなす前記像側の面を有し、
前記第５のレンズ素子は、当該レンズ素子の光軸近傍に凹部をなす前記物体側の面と、前記光軸近傍に凹部をなし且つ当該レンズ素子の周縁部近傍に凸部をなす前記像側の面と、を有する
ことを特徴とする光学撮像レンズ。
【請求項２】
前記光軸に沿った前記第２のレンズ素子と前記第３のレンズ素子との間の空隙を示すＧ23と、前記光軸に沿った前記第４のレンズ素子と前記第５のレンズ素子との間の空隙を示すＧ45とは、不等式
2014081626.tif 000012
を満たすことを特徴とする請求項１に記載の光学撮像レンズ。
【請求項３】
前記光軸に沿った前記第１のレンズ素子から前記第５のレンズ素子までのすべての４つの空隙の和を示すＧaaと、前記光軸に沿った前記第５のレンズ素子の中心厚を示すＴ5とは、不等式
2014081626.tif 000013
を満たすことを特徴とする請求項２に記載の光学撮像レンズ。
【請求項４】
前記光軸に沿った前記５つのレンズ素子すべての厚さの和を示すＡＬＴと、前記光軸に沿った前記第２のレンズ素子の中心厚を示すＴ2との関係、および、ＧaaとＴ5との関係は、一対の不等式
2014081626.tif 000014
をそれぞれ満たすことを特徴とする請求項３に記載の光学撮像レンズ。
【請求項５】
Ｇ23とＧ45とは、不等式
2014081626.tif 000015
をさらに満たすことを特徴とする請求項２に記載の光学撮像レンズ。
【請求項６】
前記第１のレンズ素子の前面に配置された開口絞りをさらに備えたことを特徴とする請求項５に記載の光学撮像レンズ。
【請求項７】
前記光軸に沿った前記第２のレンズ素子と前記第３のレンズ素子との間の空隙を示すＧ23と、前記光軸に沿った前記第１のレンズ素子と前記第２のレンズ素子との間の空隙を示すＧ12とは、不等式
2014081626.tif 000016
を満たすことを特徴とする請求項１に記載の光学撮像レンズ。
【請求項８】
前記第３のレンズ素子は、前記光軸近傍に凹部をなすの前記物体側の面を有することを特徴とする請求項７に記載の光学撮像レンズ。
【請求項９】
前記第１のレンズ素子の前面に配置された開口絞りをさらに備え、
Ｇ23とＧ12とは、不等式
2014081626.tif 000017
を満たすことを特徴とする請求項８に記載の光学撮像レンズ。
【発明の詳細な説明】
【技術分野】
【０００１】
本発明は、携帯機器ならびにその光学撮像レンズに関し、特に、５つのレンズ素子のみを有する光学撮像レンズを適用した携帯機器ならびにその光学撮像レンズに関するものである。
【背景技術】
【０００２】
携帯電話機、デジタルカメラなど、より小型の携帯機器に対する需要がますます高まることに応じて、その中に収容される小型化された撮影モジュール（光学撮像レンズ、モジュール収容ユニット、撮像センサなどの要素を備える）の必要性が高まっている。
小型化は、携帯機器の様々な側面からもたらされる場合があり、それには、電荷結合素子（ＣＣＤ：Ｃｈａｒｇｅ  Ｃｏｕｐｌｅｄ  Ｄｅｖｉｃｅ）および相補型金属酸化膜半導体（ＣＭＯＳ：Ｃｏｍｐｌｅｍｅｎｔａｒｙ  Ｍｅｔａｌ‐Ｏｘｉｄｅ  Ｓｅｍｉｃｏｎｄｕｃｔｏｒ）だけではなく、その内部に装着される光学撮像レンズが含まれる。ところが、光学撮像レンズを小型化する場合には、良好な光学特性を得ることが困難だという問題がある。
【０００３】
特許文献１、特許文献２、特許文献３は、いずれも、５つのレンズ素子を有する光学撮像レンズで構成された光学撮像レンズについて開示している。第１のレンズ素子の負の屈折力は、光学撮像レンズの長さを短縮するとともに良好な光学特性を維持するためには、有益ではない。
【０００４】
特許文献４、特許文献５、特許文献６、特許文献７は、いずれも、５つのレンズ素子を有する光学撮像レンズで構成された光学撮像レンズについて開示している。第５のレンズ素子の厚さが厚くなっており、撮像レンズの長さを短縮するためには好ましくない。
【０００５】
特許文献８、特許文献９、特許文献１０、特許文献１１、特許文献１２は、いずれも、５つのレンズ素子を有する光学撮像レンズで構成された光学撮像レンズについて開示している。これらの光学撮像レンズでは、そのレンズ素子間のすべての空隙の和が大き過ぎる。一方、特許文献８で開示している光学撮像レンズの長さは８．５ｍｍを超えており、これは、携帯電話機およびデジタルカメラといった携帯機器をより薄型化しようとする場合に、好ましくない。
【先行技術文献】
【特許文献】
【０００６】
【特許文献１】米国特許出願公開第２０１１／０１７６０４９号
【特許文献２】米国特許出願公開第２０１１／０３１６９６９号
【特許文献３】米国特許第７４８０１０５号
【特許文献４】米国特許出願公開第２０１２／０１０５７０４号
【特許文献５】米国特許出願公開第２０１１／００１３０６９号
【特許文献６】台湾特許出願公開第２０１２／０２７０４４号
【特許文献７】台湾実用新案第Ｍ３６９４５９号
【特許文献８】米国特許出願公開第２０１０／０２５４０２９号
【特許文献９】米国特許出願公開第２０１２／００６９４５５号
【特許文献１０】米国特許出願公開第２０１２／００８７０１９号
【特許文献１１】米国特許出願公開第２０１２／００８７０２０号
【特許文献１２】台湾特許出願公開第２０１２／０１３９２６号
【発明の概要】
【発明が解決しようとする課題】
【０００７】
いかにして光学撮像レンズの長さを効果的に短縮するか、また、いかにして良好な撮像品質を得るかは、ますます小型化する携帯機器の傾向に追従する産業界において最も重要なテーマである。
よって、良好な光学特性も有しつつ、長さが短縮された光学撮像レンズを開発することが必要とされている。
【課題を解決するための手段】
【０００８】
本発明の目的は、携帯機器ならびにその光学撮像レンズを提供することである。レンズ素子の凸状もしくは凹状の表面形状および／または屈折力を制御することによって、光学撮像レンズの長さが短縮されると同時に、高解像度などの良好な光学特性および系の機能性が維持される。
【０００９】
例示的な実施形態において、光学撮像レンズは、物体側から像側へ順に、第１、第２、第３、第４、第５のレンズ素子を備え、これら第１、第２、第３、第４、第５のレンズ素子の各々は、物体側に向いた物体側の面と、像側に向いた像側の面とを有し、該光学撮像レンズでは、第１のレンズ素子は、正の屈折力を有し、その物体側の面は凸面であり、第２のレンズ素子は負の屈折力を有し、第３のレンズ素子は正の屈折力を有し、第４のレンズ素子の像側の面は凸面であり、第５のレンズ素子の物体側の面は光軸近傍に凹部を有し、第５のレンズ素子の像側の面は、光軸近傍に凹部を有するとともに、該第５のレンズ素子の周縁部近傍に凸部を有し、また、光学撮像レンズは全体として、屈折力を有する該５つのレンズ素子のみを有する。
【００１０】
別の例示的な実施形態では、良好な光学特性を得るため、光軸に沿ったレンズ素子の中心厚および／または光軸に沿ったレンズ素子の中心厚とすべての空隙の和との比率など、他の関連パラメータを制御することができる。例えば、光軸に沿った第２のレンズ素子と第３のレンズ素子との間の空隙Ｇ23と、光軸に沿った第４のレンズ素子と第５のレンズ素子との間の空隙Ｇ45とは、次のような式を満たすように制御することができる。
2014081626.tif 000003
【００１１】
例えば、光軸に沿った第１のレンズ素子から第５のレンズ素子までのすべての４つの空隙の和Ｇaaと、光軸に沿った第５のレンズ素子の中心厚Ｔ5とは、次のような式を満たすように制御することができる。
2014081626.tif 000004
【００１２】
例えば、Ｇ23と、光軸に沿った第１のレンズ素子と第２のレンズ素子との間の空隙Ｇ12とは、次のような式を満たすように制御することができる。
2014081626.tif 000005
【００１３】
例えば、５つのレンズ素子すべての合計の厚さＡＬＴと、光軸に沿った第２のレンズ素子の中心厚Ｔ2とは、次のような式を満たすように制御することができる。
2014081626.tif 000006
【００１４】
前述の例示的な実施形態は、限定されるものではなく、本明細書に記載の他の実施形態に選択的に組み込むことができる。
【００１５】
一部の例示的な実施形態では、さらに、系に入射する光強度を調整するために、開口絞りを備えることができる。開口絞りは、典型例として、第１のレンズ素子の前面に配置されるが、これに限定されない。
【００１６】
一部の例示的な実施形態では、系の性能および／または解像度の制御を強化するため、凸面または凹面構造についてのさらなる詳細を、１つの特定のレンズ素子に、または広く複数のレンズ素子に、組み込むことができる。例えば、第３のレンズ素子の物体側の面は、光軸近傍に凹部を有することができる。
【００１７】
別の例示的な実施形態において、携帯機器は、ハウジングと、ハウジング内に配置された撮影モジュールと、を備える。撮影モジュールは、前述の例示的な実施形態のいずれかの光学撮像レンズと、レンズ鏡筒と、モジュール収容ユニットと、撮像センサと、を有する。
レンズ鏡筒は光学撮像レンズを位置決めするためのものであり、モジュール収容ユニットはレンズ鏡筒を位置決めするためのものであり、撮像センサは光学撮像レンズの像側に配置される。
【００１８】
一部の例示的な実施形態において、モジュール収容ユニットは、オプションとして、第１の台座要素と第２の台座要素とを有するレンズ支持台座を備える。
第１の台座要素は、レンズ鏡筒の外側に近接して、レンズ鏡筒を駆動するための軸に沿って配置されて、その中には光学撮像レンズが該軸に沿って動くように配置されており、また、第２の台座要素は、上記軸に沿って、第１の台座要素の外側の周りに配置されている。
【００１９】
一部の例示的な実施形態において、モジュール収容ユニットは、オプションとして、さらに、第２の台座要素と撮像センサとの間に配置される撮像センサ台を備え、該撮像センサ台は第２の台座要素に接触している。
【００２０】
レンズ素子（複数の場合もある）の凸状もしくは凹状の表面形状および／または屈折力を制御することによって、例示的な実施形態における携帯機器およびその光学撮像レンズは、良好な光学特性を実現するとともに、光学撮像レンズの長さを効果的に短縮している。
【００２１】
例示的な実施形態は、添付の図面を併用して以下の詳細な説明を読むことで、より容易に理解されるであろう。
【図面の簡単な説明】
【００２２】
【図１】本開示に係る５つのレンズ素子を有する光学撮像レンズの第１の実施形態の断面図である。
【図２】本開示に係る光学撮像レンズの第１の実施形態についての縦球面収差および他の種類の光学収差のチャートである。
【図３】本開示の例示的な実施形態の光学撮像レンズのレンズ素子の断面図である。
【図４】本開示に係る光学撮像レンズの第１の実施形態の各レンズ素子についての光学データの表である。
【図５】本開示に係る光学撮像レンズの第１の実施形態についての非球面データの表である。
【図６】本開示に係る５つのレンズ素子を有する光学撮像レンズの第２の実施形態の断面図である。
【図７】本開示に係る光学撮像レンズの第２の実施形態についての縦球面収差および他の種類の光学収差のチャートである。
【図８】本開示の第２の実施形態の光学撮像レンズの各レンズ素子についての光学データの表である。
【図９】本開示に係る光学撮像レンズの第２の実施形態についての非球面データの表である。
【図１０】本開示に係る５つのレンズ素子を有する光学撮像レンズの第３の実施形態の断面図である。
【図１１】本開示に係る光学撮像レンズの第３の実施形態についての縦球面収差および他の種類の光学収差のチャートである。
【図１２】本開示の第３の実施形態の光学撮像レンズの各レンズ素子についての光学データの表である。
【図１３】本開示に係る光学撮像レンズの第３の実施形態についての非球面データの表である。
【図１４】本開示に係る５つのレンズ素子を有する光学撮像レンズの第４の実施形態の断面図である。
【図１５】本開示に係る光学撮像レンズの第４の実施形態についての縦球面収差および他の種類の光学収差のチャートである。
【図１６】本開示の第４の実施形態の光学撮像レンズの各レンズ素子についての光学データの表である。
【図１７】本開示に係る光学撮像レンズの第４の実施形態についての非球面データの表である。
【図１８】本開示に係る５つのレンズ素子を有する光学撮像レンズの第５の実施形態の断面図である。
【図１９】本開示に係る光学撮像レンズの第５の実施形態についての縦球面収差および他の種類の光学収差のチャートである。
【図２０】本開示の第５の実施形態の光学撮像レンズの各レンズ素子についての光学データの表である。
【図２１】本開示に係る光学撮像レンズの第５の実施形態についての非球面データの表である。
【図２２】本開示に係る５つのレンズ素子を有する光学撮像レンズの第６の実施形態の断面図である。
【図２３】本開示に係る光学撮像レンズの第６の実施形態についての縦球面収差および他の種類の光学収差のチャートである。
【図２４】本開示の第６の実施形態の光学撮像レンズの各レンズ素子についての光学データの表である。
【図２５】本開示に係る光学撮像レンズの第６の実施形態についての非球面データの表である。
【図２６】６つのすべての例示的な実施形態のＧ23−Ｇ45、Ｇaa／Ｔ5、Ｇ23／Ｇ12、およびＡＬＴ／Ｔ2の値についての表である。
【図２７】携帯機器の例示的な実施形態の構造である。
【図２８】携帯機器の他の例示的な実施形態の構造の部分拡大図である。
【発明を実施するための形態】
【００２３】
本開示およびその効果の完全な理解のため、以下、同様の参照符号により類似の特徴を示している添付の図面を併用して、以下の説明を参照する。当業者であれば、本明細書に記載のものを含む例示的な実施形態を実現するための他の様々な変形例を把握するであろう。図面は、特定の縮尺に限定されるものではなく、また、類似の要素を表すために同様の参照符号を使用している。
本開示および添付の請求項で使用される場合の、「例示的な実施形態」「一実施形態」および「本実施形態」という表現は、１つのみの実施形態を指すこともあるものの、必ずしもそうであるとは限らず、種々の例示的な実施形態は、本発明の範囲または趣旨から逸脱することなく、容易に組み合わせおよび相互入れ替えすることができる。
また、本明細書で使用する専門用語は、単に例示的な実施形態を説明するためのものにすぎず、本発明を限定するものではない。これに関連して、本明細書で使用される場合の「〜において（ｉｎ）」という表現は、「〜の中で（ｉｎ）」と「〜の上で（ｏｎ）」を含み得るものであり、また、「ａ」「ａｎ」および「ｔｈｅ」という表現は、単数を指す場合と複数を指す場合を含み得る。また、本明細書で使用される場合の「〜によって（ｂｙ）」という表現は、文脈によっては、「〜から（ｆｒｏｍ）」を意味することもある。
さらに、本明細書で使用される場合の「〜場合に（ｉｆ）」という表現は、文脈によっては、「〜ときに（ｗｈｅｎ）」または「〜際に（ｕｐｏｎ）」を意味することもある。さらに、本明細書で使用される場合の「および／または（ａｎｄ／ｏｒ）」という言葉は、関連して列挙されるアイテムのうち１つまたは複数からなるあらゆる可能な組み合わせを指すことができ、また、包含し得るものである。
【００２４】
光学撮像レンズの例示的な実施形態は、物体側から像側へ順に配置される、第１のレンズ素子と、第２のレンズ素子と、第３のレンズ素子と、第４のレンズ素子と、第５のレンズ素子とを備えることができ、それらのレンズ素子の各々は、物体側に向いた物体側の面と、像側に向いた像側の面とを有する。全体として、レンズの例示的な実施形態は、屈折力を有する５つのレンズ素子のみを含み得る。
例示的な一実施形態において、第１のレンズ素子は、正の屈折力を有し、その物体側の面は凸面であり、第２のレンズ素子は負の屈折力を有し、第３のレンズ素子は正の屈折力を有し、第４のレンズ素子の像側の面は凸面であり、第５のレンズ素子の物体側の面は光軸近傍に凹部を有し、第５のレンズ素子の像側の面は、光軸近傍に凹部を有するとともに、該第５のレンズ素子の周縁部近傍に凸部を有し、また、レンズは全体として、屈折力を有する５つのレンズ素子のみを有する。
【００２５】
レンズ素子は、光学特性および光学撮像レンズの長さを考慮して設計されることが好ましい。
例えば、正の屈折力と物体側の凸面とを有する第１のレンズ素子は、より優れた集光能力を持つ。第１のレンズ素子の正の屈折力と協働するように第１のレンズ素子の前面に配置される開口絞りによって、光学撮像レンズの長さを効果的に短縮することができる。
負の屈折力を有する第２のレンズ素子は、光学レンズの収差を除去することができる。
正の屈折力を有する第３のレンズ素子は、光学撮像レンズにおいて必要な正の屈折力の負担を第１のレンズ素子と分け合うことが可能であり、これによって、製造工程における誤差に対する光学レンズの感度が効果的に低減される。第３のレンズ素子の物体側の面の光軸近傍にさらに凹部を備えることで、光学レンズの収差を除去することができる。
像側に凸面を有する第４のレンズ素子は、集光のために役立ち得る。
第５のレンズ素子は、その物体側の面の光軸近傍に凹部を有し、その像側の面には光軸近傍に凹部を有するとともに該第５のレンズ素子の周縁部近傍に凸部を有することによって、曲率を調整すること、高次収差を抑えること、および主光線の角度（撮像センサへの光の入射角）を抑えること、の助けとすることができ、これによって、系全体の感度が向上する。
【００２６】
別の例示的な実施形態では、良好な光学特性を得るため、光軸に沿ったレンズ素子の中心厚および／または光軸に沿ったレンズ素子の中心厚とすべての空隙の和との比率など、他の関連パラメータを制御することができる。
例えば、光軸に沿った第２のレンズ素子と第３のレンズ素子との間の空隙Ｇ23と、光軸に沿った第４のレンズ素子と第５のレンズ素子との間の空隙Ｇ45とは、次のような式を満たすように制御することができる。
2014081626.tif 000007
【００２７】
例えば、光軸に沿った第１のレンズ素子から第５のレンズ素子までのすべての４つの空隙の和Ｇaaと、光軸に沿った第５のレンズ素子の中心厚Ｔ5とは、次のような式を満たすように制御することができる。
2014081626.tif 000008
【００２８】
例えば、Ｇ23と、光軸に沿った第１のレンズ素子と第２のレンズ素子との間の空隙Ｇ12とは、次のような式を満たすように制御することができる。
2014081626.tif 000009
【００２９】
例えば、５つのレンズ素子すべての合計の厚さＡＬＴと、光軸に沿った第２のレンズ素子の中心厚Ｔ2とは、次のような式を満たすように制御することができる。
2014081626.tif 000010
【００３０】
前述の例示的な実施形態は、限定されるものではなく、本明細書に記載の他の実施形態に選択的に組み込むことができる。
【００３１】
ここで、式（１）を参照する。式（１）によって、大きな空隙Ｇ45を効果的に回避することができ、第４のレンズ素子の像側が凸面であることによって、第４と第５のレンズ素子の間に固定部干渉の問題がないため、Ｇ45をより小さくすることが可能である。
（Ｇ23−Ｇ45）が０〜０．１の範囲に制限された場合には、光学撮像レンズの長さを短縮することができるとともに、良好な光学特性を維持することができるものの、Ｇ23が小さいことによって、第２のレンズ素子の像側と第３のレンズ素子の物体側との間に固定部干渉の問題が引き起こされ得るので、式（１’）を満たしていることが好ましい。また、式（１）は、式（１”）を満たすように、上限によって制限することができる。
【００３２】
次に、式（２）を参照する。上記で例示したように、第５のレンズ素子は、物体側と像側の面の双方において光軸近傍に凹部が形成されているので、光学レンズの長さを短縮するために、Ｔ5をより薄くすることが可能である。
よって、式（２）を満たしていない場合、それはＴ5の短縮比率がＧaaより低いことを意味しており、このことは、光学レンズの長さを短縮するためには有益ではない。好ましくは、式（２）は、さらに式（２’）を満たすように、上限によって制限することができる。
【００３３】
次に、式（３）を参照する。式（３）は、第１、第２、第３のレンズ素子の配置を設定するのに有用である。
式（３）を満たしていない場合、それはＧ12がより大きいことを意味しており、これによって、第１のレンズ素子から放出される光が、第２のレンズ素子に入射するときに適正な高さに達することができないことになる。好ましくは、さらに式（３’）を満たすようにすることができる。
【００３４】
次に、式（４）を参照する。式（４）は、第２のレンズ素子および残りのレンズ素子の厚さを設定するのに有用である。
式（４）を満たしていない場合、それはＴ2が相対的に大きいことを意味する。これは、第２のレンズ素子の有効径がすべてのレンズ素子の中ではより小さいことから、適切な設計ではなく、第２のレンズ素子の厚みは、より薄くすることが可能である。好ましくは、式（４）は、さらに式（４’）を満たすように、上限によって制限することができる。
【００３５】
例示的な実施形態を実施する際には、系の性能および／または解像度の制御を強化するため、以下の実施形態で示すように、凸面もしくは凹面構造および／または屈折力についてのさらなる詳細を、１つの特定のレンズ素子に、または広く複数のレンズ素子に、組み込むことができる。
本明細書で記載する詳細は、いかなる矛盾も生じない限りにおいて、例示的な実施形態に組み込むことができるということに留意すべきである。
【００３６】
良好な光学特性を有するとともに長さが短縮された光学撮像レンズの例示的な実施形態について説明するため、以下、いくつかの例示的な実施形態および関連する光学データを提示する。
ここで、図１〜５を参照する。図１は、第１の例示的な実施形態による光学撮像レンズの、５つのレンズ素子を有する光学撮像レンズ１の例示的な断面図を示している。図２は、例示的な一実施形態による光学撮像レンズ１の縦球面収差および他の種類の光学収差の例示的なチャートを示している。図３は、例示的な一実施形態による光学撮像レンズ１のレンズ素子の他の例示的な断面図を示している。図４は、例示的な一実施形態による光学撮像レンズ１の各レンズ素子についての光学データの例示的な表を示している。図５は、例示的な一実施形態による光学撮像レンズ１についての非球面データの例示的な表を示している。
【００３７】
図１に示すように、本実施形態の光学撮像レンズ１は、物体側Ａ１から像側Ａ２へ順に、開口絞り１００と、第１のレンズ素子１１０と、第２のレンズ素子１２０と、第３のレンズ素子１３０と、第４のレンズ素子１４０と、第５のレンズ素子１５０と、を備える。光学レンズ１の像側Ａ２に、フィルタユニット１６０、および撮像センサの像面１７０が配置される。
第１、第２、第３、第４、第５のレンズ素子１１０、１２０、１３０、１４０、１５０、およびフィルタユニット１６０のそれぞれは、物体側Ａ１に向いた物体側の面１１１／１２１／１３１／１４１／１５１／１６１と、像側Ａ２に向いた像側の面１１２／１２２／１３２／１４２／１５２／１６２と、を有する。
図示のフィルタユニット１６０の例示的な実施形態は、第５のレンズ素子１５０と像面１７０との間に配置されるＩＲカットフィルタ（赤外線カットフィルタ）である。フィルタユニット１６０は、光学撮像レンズ１を通過する光から特定の波長の光を除去する。例えば、赤外光が除去され、これによって、人間の目に見えない赤外光により像面１７０に画像が生成されることを防いでいる。
【００３８】
以下、光学撮像レンズ１の各レンズ素子の例示的な実施形態について、図面を参照して説明する。
【００３９】
第１のレンズ素子１１０の例示的な実施形態は、正の屈折力を有することができ、これをプラスチック材料で構成することができる。物体側の面１１１と像側の面１１２は、両方とも凸面である。
【００４０】
第２のレンズ素子１２０は、負の屈折力を有することができ、これをプラスチック材料で構成することができる。物体側の面１２１は凸面であり、像側の面１２２は凹面である。
【００４１】
第３のレンズ素子１３０は、正の屈折力を有することができ、これをプラスチック材料で構成することができる。物体側の面１３１は、光軸近傍に凹部１３１１を有する凹面である。像側の面１３２は凸面である。
【００４２】
第４のレンズ素子１４０は、正の屈折力を有することができ、これをプラスチック材料で構成することができる。物体側の面１４１は凹面であり、像側の面１４２は凸面である。
【００４３】
第５のレンズ素子１５０は、負の屈折力を有することができ、これをプラスチック材料で構成することができる。物体側の面１５１は、光軸近傍に凹部１５１１を有する凹面である。像側の面１５２は、光軸近傍に凹部１５２１を有し、該第５のレンズ素子１５０の周縁部近傍に凸部１５２２を有する。
【００４４】
例示的な実施形態では、レンズ素子１１０、１２０、１３０、１４０、１５０と、フィルタユニット１６０と、撮像センサの像面１７０との間に、空隙が存在する。例えば、図１では、第１のレンズ素子１１０と第２のレンズ素子１２０との間に存在する空隙ｄ１と、第２のレンズ素子１２０と第３のレンズ素子１３０との間に存在する空隙ｄ２と、第３のレンズ素子１３０と第４のレンズ素子１４０との間に存在する空隙ｄ３と、第４のレンズ素子１４０と第５のレンズ素子１５０との間に存在する空隙ｄ４と、第５のレンズ素子１５０とフィルタユニット１６０との間に存在する空隙ｄ５と、フィルタユニット１６０と撮像センサの像面１７０との間に存在する空隙ｄ６と、を示している。
しかしながら、他の実施形態では、上記の空隙のいずれかは、存在しても存在しなくてもよい。例えば、いずれか２つの隣接するレンズ素子の対向する面の形状は、相互に対応している場合があり、そのような状況では、空隙は存在しないことがある。空隙ｄ１はＧ12で示され、空隙ｄ３はＧ34で示され、第１と第５のレンズ素子１１０、１５０の間のすべての空隙ｄ１、ｄ２、ｄ３、ｄ４の和はＧaaで示される。
【００４５】
図４は、本実施形態の光学撮像レンズ１の各レンズ素子の光学特性を示しており、この場合、Ｇ23−Ｇ45、Ｇaa／Ｔ5、Ｇ23／Ｇ12、ＡＬＴ／Ｔ2の値は、
（Ｇ23−Ｇ45）＝０．１１（ｍｍ）であって、式（１）、（１’）、（１”）を満たしており、
（Ｇaa／Ｔ5）＝３．２２であって、式（２）、（２’）を満たしており、
（Ｇ23／Ｇ12）＝３．８６であって、式（３）、（３’）を満たしており、
（ＡＬＴ／Ｔ2）＝８．３４であって、式（４）、（４’）を満たしており、
このとき、第１のレンズ素子１１０の物体側の凸面１１１から像面１７０までの光軸に沿った距離は４．５６（ｍｍ）であり、光学撮像レンズ１の長さが短縮されている。
【００４６】
例示的な実施形態では、各レンズ素子の構造について明確に説明するため、光が通過する部分のみを示していることに留意すべきである。例えば、第１のレンズ素子１１０を例にとると、図１では、物体側の凸面１１１と像側の凸面１１２とを示している。ところが、本実施形態の各レンズ素子を実現する際には、光学撮像レンズ１の内部でレンズ素子を位置決めするための固定部が選択的に形成されることがある。
第１のレンズ素子１１０について、図３を参照する。これは、固定部をさらに備えた第１のレンズ素子１１０を示している。この場合、固定部は、光学撮像レンズ１内に第１のレンズ素子１１０を取り付けるために、物体側の凸面１１１と像側の凸面１１２とから拡張された突出部１１３であるが、これに限定されるものではなく、また、理想的には光は突出部１１３を通過しない。
【００４７】
第１のレンズ素子１１０の凸面１１１および凸面１１２と、第２のレンズ素子１２０の凸面１２１および凹面１２２と、第３のレンズ素子１３０の凹面１３１および凸面１３２と、第４のレンズ素子１４０の凹面１４１および像側の面１４２と、第５のレンズ素子１５０の凹面１５１および像側の面１５２と、を含む非球面はすべて、以下の非球面式で定義される。
2014081626.tif 000011
ここで、
Ｒは、レンズ素子面の曲率半径を表す。
Ｚは、非球面の深さ（光軸から距離Ｙにある非球面上の点と、非球面の光軸上の頂点における接平面と、の間の垂直距離）を表す。
Ｙは、非球面上の点と光軸との間の垂直距離を表す。
Ｋは、円錐定数を表す。
ａiは、ｉ次の非球面係数を表す。
Ｎは、正規化半径を表す。
【００４８】
各非球面パラメータの値を、図５に示している。
【００４９】
図２に示すように、本実施形態の例示的な光学撮像レンズ１は、縦球面収差（ａ）、サジタル方向の非点収差（ｂ）、タンジェンシャル方向の非点収差（ｃ）、および歪曲収差（ｄ）において、優れた特性を示す。従って、例示的な実施形態の光学撮像レンズ１は、上記の実例によれば、実際に優れた光学性能を実現し、また、光学撮像レンズ１の長さは効果的に短縮されている。
【００５０】
以下、図６〜９を参照する。図６は、第２の例示的な実施形態による光学撮像レンズの、５つのレンズ素子を有する光学撮像レンズ２の例示的な断面図を示している。図７は、第２の例示的な実施形態による光学撮像レンズ２の縦球面収差および他の種類の光学収差の例示的なチャートを示している。図８は、第２の例示的な実施形態による光学撮像レンズ２の各レンズ素子についての光学データの例示的な表を示している。図９は、第２の例示的な実施形態による光学撮像レンズ２についての非球面データの例示的な表を示している。
本実施形態において表示される参照符号は、第１の実施形態における類似の要素のものと同様であるが、ただし本実施形態では、参照符号は２で始まり、例えば、参照符号２１１によって第１のレンズ素子の物体側の凸面を示し、参照符号２１２によって第１のレンズ素子の像側の凸面を示すなどする。
【００５１】
図６に示すように、本実施形態の光学撮像レンズ２は、物体側Ａ１から像側Ａ２へ順に、開口絞り２００と、第１のレンズ素子２１０と、第２のレンズ素子２２０と、第３のレンズ素子２３０と、第４のレンズ素子２４０と、第５のレンズ素子２５０と、を備える。光学レンズ２の像側Ａ２に、フィルタユニット２６０、および撮像センサの像面２７０が配置される。
第１、第２、第３、第４、第５のレンズ素子２１０、２２０、２３０、２４０、２５０、およびフィルタユニット２６０のそれぞれは、物体側Ａ１に向いた物体側の面２１１／２２１／２３１／２４１／２５１／２６１と、像側Ａ２に向いた像側の面２１２／２２２／２３２／２４２／２５２／２６２と、を有する。
図示のフィルタユニット２６０の例示的な実施形態は、第５のレンズ素子２５０と像面２７０との間に配置されるＩＲカットフィルタ（赤外線カットフィルタ）である。フィルタユニット２６０は、光学撮像レンズ２を通過する光から特定の波長の光を除去する。例えば、赤外光が除去され、これによって、人間の目に見えない赤外光により像面２７０に画像が生成されることを防いでいる。
【００５２】
第２の実施形態と第１の実施形態との違いは、各レンズ素子の厚さおよび各空隙の距離にある。本実施形態の光学撮像レンズ２の各レンズ素子の光学特性について、図８を参照すると、この場合、Ｇ23−Ｇ45、Ｇaa／Ｔ5、Ｇ23／Ｇ12、ＡＬＴ／Ｔ2の値は、
（Ｇ23−Ｇ45）＝０．１７（ｍｍ）であって、式（１）、（１’）、（１”）を満たしており、
（Ｇaa／Ｔ5）＝３．６７であって、式（２）、（２’）を満たしており、
（Ｇ23／Ｇ12）＝６．７０であって、式（３）、（３’）を満たしており、
（ＡＬＴ／Ｔ2）＝８．１７であって、式（４）、（４’）を満たしている。
【００５３】
このとき、第１のレンズ素子２１０の物体側の面２１１から像面２７０までの距離は４．５０（ｍｍ）であり、光学撮像レンズ２の長さが短縮されている。
【００５４】
図７に示すように、本実施形態の光学撮像レンズ２は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ２の長さは効果的に短縮されている。
【００５５】
以下、図１０〜１３を参照する。図１０は、第３の例示的な実施形態による光学撮像レンズの、５つのレンズ素子を有する光学撮像レンズ３の例示的な断面図を示している。
図１１は、第３の例示的な実施形態による光学撮像レンズ３の縦球面収差および他の種類の光学収差の例示的なチャートを示している。
図１２は、第３の例示的な実施形態による光学撮像レンズ３の各レンズ素子についての光学データの例示的な表を示している。
図１３は、第３の例示的な実施形態による光学撮像レンズ３についての非球面データの例示的な表を示している。本実施形態において表示される参照符号は、第１の実施形態における類似の要素のものと同様であるが、ただし本実施形態では、参照符号は３で始まり、例えば、参照符号３１１によって第１のレンズ素子の物体側の凸面を示し、参照符号３１２によって第１のレンズ素子の像側の凸面を示すなどする。
【００５６】
図１０に示すように、本実施形態の光学撮像レンズ３は、物体側Ａ１から像側Ａ２へ順に、開口絞り３００と、第１のレンズ素子３１０と、第２のレンズ素子３２０と、第３のレンズ素子３３０と、第４のレンズ素子３４０と、第５のレンズ素子３５０と、を備える。光学レンズ３の像側Ａ２に、フィルタユニット３６０、および撮像センサの像面３７０が配置される。
第１、第２、第３、第４、第５のレンズ素子３１０、３２０、３３０、３４０、３５０、およびフィルタユニット３６０のそれぞれは、物体側Ａ１に向いた物体側の面３１１／３２１／３３１／３４１／３５１／３６１と、像側Ａ２に向いた像側の面３１２／３２２／３３２／３４２／３５２／３６２と、を有する。
図示のフィルタユニット３６０の例示的な実施形態は、第５のレンズ素子３５０と像面３７０との間に配置されるＩＲカットフィルタ（赤外線カットフィルタ）である。フィルタユニット３６０は、光学撮像レンズ３を通過する光から特定の波長の光を除去する。例えば、赤外光が除去され、これによって、人間の目に見えない赤外光により像面３７０に画像が生成されることを防いでいる。
【００５７】
第３の実施形態と第１の実施形態との違いは、各レンズ素子の厚さおよび各空隙の距離にある。本実施形態の光学撮像レンズ３の各レンズ素子の光学特性について、図１２を参照すると、この場合、Ｇ23−Ｇ45、Ｇaa／Ｔ5、Ｇ23／Ｇ12、ＡＬＴ／Ｔ2の値は、
（Ｇ23−Ｇ45）＝０．０５（ｍｍ）であって、式（１）、（１”）を満たしており、
（Ｇaa／Ｔ5）＝３．３７であって、式（２）、（２’）を満たしており、
（Ｇ23／Ｇ12）＝２．８０であって、式（３）、（３’）を満たしており、
（ＡＬＴ／Ｔ2）＝８．１５であって、式（４）、（４’）を満たしている。
【００５８】
このとき、第１のレンズ素子３１０の物体側の面３１１から像面３７０までの距離は４．４５（ｍｍ）であり、光学撮像レンズ３の長さが短縮されている。
【００５９】
図１１に示すように、本実施形態の光学撮像レンズ３は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ３の長さは効果的に短縮されている。
【００６０】
以下、図１４〜１７を参照する。図１４は、第４の例示的な実施形態による光学撮像レンズの、５つのレンズ素子を有する光学撮像レンズ４の例示的な断面図を示している。
図１５は、第４の実施形態による光学撮像レンズ４の縦球面収差および他の種類の光学収差の例示的なチャートを示している。
図１６は、第４の例示的な実施形態による光学撮像レンズ４の各レンズ素子についての光学データの例示的な表を示している。
図１７は、第４の例示的な実施形態による光学撮像レンズ４についての非球面データの例示的な表を示している。本実施形態において表示される参照符号は、第１の実施形態における類似の要素のものと同様である。ただし本実施形態では、参照符号は４で始まり、例えば、参照符号４１１によって第１のレンズ素子の物体側の凸面を示し、参照符号４１２によって第１のレンズ素子の像側の凸面を示すなどする。
【００６１】
図１４に示すように、本実施形態の光学撮像レンズ４は、物体側Ａ１から像側Ａ２へ順に、開口絞り４００と、第１のレンズ素子４１０と、第２のレンズ素子４２０と、第３のレンズ素子４３０と、第４のレンズ素子４４０と、第５のレンズ素子４５０と、を備える。光学レンズ４の像側Ａ２に、フィルタユニット４６０、および撮像センサの像面４７０が配置される。
第１、第２、第３、第４、第５のレンズ素子４１０、４２０、４３０、４４０、４５０、およびフィルタユニット４６０のそれぞれは、物体側Ａ１に向いた物体側の面４１１／４２１／４３１／４４１／４５１／４６１と、像側Ａ２に向いた像側の面４１２／４２２／４３２／４４２／４５２／４６２と、を有する。
図示のフィルタユニット４６０の例示的な実施形態は、第５のレンズ素子４５０と像面４７０との間に配置されるＩＲカットフィルタ（赤外線カットフィルタ）である。フィルタユニット４６０は、光学撮像レンズ４を通過する光から特定の波長の光を除去する。例えば、赤外光が除去され、これによって、人間の目に見えない赤外光により像面４７０に画像が生成されることを防いでいる。
【００６２】
第４の実施形態と第１の実施形態との違いは、各レンズ素子の厚さおよび各空隙の距離にある。本実施形態の光学撮像レンズ４の各レンズ素子の光学特性について、図１６を参照すると、この場合、Ｇ23−Ｇ45、Ｇaa／Ｔ5、Ｇ23／Ｇ12、ＡＬＴ／Ｔ2の値は、
（Ｇ23−Ｇ45）＝０．０２（ｍｍ）であって、式（１）、（１”）を満たしており、
（Ｇaa／Ｔ5）＝４．５３であって、式（２）、（２’）を満たしており、
（Ｇ23／Ｇ12）＝５．４０であって、式（３）、（３’）を満たしており、
（ＡＬＴ／Ｔ2）＝７．６９であって、式（４）、（４’）を満たしている。
【００６３】
このとき、第１のレンズ素子４１０の物体側の面４１１から像面４７０までの距離は４．５７（ｍｍ）であり、光学撮像レンズ４の長さが短縮されている。
【００６４】
図１５に示すように、本実施形態の光学撮像レンズ４は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ４の長さは効果的に短縮されている。
【００６５】
以下、図１８〜２１を参照する。図１８は、第５の例示的な実施形態による光学撮像レンズの、５つのレンズ素子を有する光学撮像レンズ５の例示的な断面図を示している。
図１９は、第５の実施形態による光学撮像レンズ５の縦球面収差および他の種類の光学収差の例示的なチャートを示している。
図２０は、第５の例示的な実施形態による光学撮像レンズ５の各レンズ素子についての光学データの例示的な表を示している。
図２１は、第５の例示的な実施形態による光学撮像レンズ５についての非球面データの例示的な表を示している。
本実施形態において表示される参照符号は、第１の実施形態における類似の要素のものと同様である。ただし本実施形態では、参照符号は５で始まり、例えば、参照符号５１１によって第１のレンズ素子の物体側の凸面を示し、参照符号５１２によって第１のレンズ素子の像側の凹面を示すなどする。
【００６６】
図１８に示すように、本実施形態の光学撮像レンズ５は、物体側Ａ１から像側Ａ２へ順に、第１のレンズ素子５１０の前面に配置される開口絞り５００と、第２のレンズ素子５２０と、第３のレンズ素子５３０と、第４のレンズ素子５４０と、第５のレンズ素子５５０と、を備える。
光学レンズ５の像側Ａ２に、フィルタユニット５６０、および撮像センサの像面５７０が配置される。第１、第２、第３、第４、第５のレンズ素子５１０、５２０、５３０、５４０、５５０、およびフィルタユニット５６０のそれぞれは、物体側Ａ１に向いた物体側の面５１１／５２１／５３１／５４１／５５１／５６１と、像側Ａ２に向いた像側の面５１２／５２２／５３２／５４２／５５２／５６２と、を有する。
図示のフィルタユニット５６０の例示的な実施形態は、第５のレンズ素子５５０と像面５７０との間に配置されるＩＲカットフィルタ（赤外線カットフィルタ）である。フィルタユニット５６０は、光学撮像レンズ５を通過する光から特定の波長の光を除去する。例えば、赤外光が除去され、これによって、人間の目に見えない赤外光により像面５７０に画像が生成されることを防いでいる。
【００６７】
第５の実施形態と第１の実施形態との違いは、各レンズ素子の厚さと、各空隙の距離と、第１のレンズ素子５１０の像側の面５１２および第３のレンズ素子５３０の物体側と像側の面５３１、５３２などの曲面形状と、にある。
第１のレンズ素子５１０の像側の面５１２は、凹面である。第３のレンズ素子５３０の物体側の面５３１は、光軸近傍に凸部５３１１を有するとともに、該第３のレンズ素子５３０の周縁部近傍に凹部５３１２を有し、また、第３のレンズ素子５３０の像側の面５３２は、光軸近傍に凹部５３２１を有するとともに、該第３のレンズ素子５３０の周縁部近傍に凸部５３２２を有する。本実施形態の光学撮像レンズ５の各レンズ素子の光学特性について、図２０を参照すると、この場合、Ｇ23−Ｇ45、Ｇaa／Ｔ5、Ｇ23／Ｇ12、ＡＬＴ／Ｔ2の値は、
（Ｇ23−Ｇ45）＝０．０４（ｍｍ）であって、式（１）、（１”）を満たしており、
（Ｇaa／Ｔ5）＝２．６１であって、式（２）、（２’）を満たしており、
（Ｇ23／Ｇ12）＝３．３７であって、式（３）、（３’）を満たしており、
（ＡＬＴ／Ｔ2）＝８．１６であって、式（４）、（４’）を満たしている。
【００６８】
このとき、第１のレンズ素子５１０の物体側の面５１１から像面５７０までの距離は４．２６（ｍｍ）であり、光学撮像レンズ５の長さが短縮されている。
【００６９】
図１９に示すように、本実施形態の光学撮像レンズ５は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ５の長さは効果的に短縮されている。
【００７０】
以下、図２２〜２５を参照する。図２２は、第６の例示的な実施形態による光学撮像レンズの、５つのレンズ素子を有する光学撮像レンズ６の例示的な断面図を示している。
図２３は、第６の実施形態による光学撮像レンズ６の縦球面収差および他の種類の光学収差の例示的なチャートを示している。
図２４は、第６の例示的な実施形態による光学撮像レンズ６の各レンズ素子についての光学データの例示的な表を示している。
図２５は、第６の例示的な実施形態による光学撮像レンズ６についての非球面データの例示的な表を示している。
本実施形態において表示される参照符号は、第１の実施形態における類似の要素のものと同様であるが、ただし本実施形態では、参照符号は６で始まり、例えば、参照符号６１１によって第１のレンズ素子の物体側の凸面を示し、参照符号６１２によって第１のレンズ素子の像側の凸面を示すなどする。
【００７１】
図２２に示すように、本実施形態の光学撮像レンズ６は、物体側Ａ１から像側Ａ２へ順に、開口絞り６００と、第１のレンズ素子６１０と、第２のレンズ素子６２０と、第３のレンズ素子６３０と、第４のレンズ素子６４０と、第５のレンズ素子６５０と、を備える。
光学レンズ６の像側Ａ２に、フィルタユニット６６０、および撮像センサの像面６７０が配置される。第１、第２、第３、第４、第５のレンズ素子６１０、６２０、６３０、６４０、６５０、およびフィルタユニット６６０のそれぞれは、物体側Ａ１に向いた物体側の面６１１／６２１／６３１／６４１／６５１／６６１と、像側Ａ２に向いた像側の面６１２／６２２／６３２／６４２／６５２／６６２と、を有する。
図示のフィルタユニット６６０の例示的な実施形態は、第５のレンズ素子６５０と像面６７０との間に配置されるＩＲカットフィルタ（赤外線カットフィルタ）である。フィルタユニット６６０は、光学撮像レンズ６を通過する光から特定の波長の光を除去する。例えば、赤外光が除去され、これによって、人間の目に見えない赤外光により像面６７０に画像が生成されることを防いでいる。
【００７２】
第６の実施形態と第１の実施形態との違いは、各レンズ素子の厚さおよび各空隙の距離にある。本実施形態の光学撮像レンズ６の各レンズ素子の光学特性について、図２４を参照すると、この場合、Ｇ23−Ｇ45、Ｇaa／Ｔ5、Ｇ23／Ｇ12、ＡＬＴ／Ｔ2の値は、
（Ｇ23−Ｇ45）＝０．０３（ｍｍ）であって、式（１）、（１”）を満たしており、
（Ｇaa／Ｔ5）＝６．２７であって、式（２）、（２’）を満たしており、
（Ｇ23／Ｇ12）＝３．６２であって、式（３）、（３’）を満たしており、
（ＡＬＴ／Ｔ2）＝６．９９であって、式（４）、（４’）を満たしている。
【００７３】
このとき、第１のレンズ素子６１０の物体側の面６１１から像面６７０までの距離は４．３５（ｍｍ）であり、光学撮像レンズ６の長さが短縮されている。
【００７４】
図２３に示すように、本実施形態の光学撮像レンズ６は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ６の長さは効果的に短縮されている。
【００７５】
図２６を参照すると、６つのすべての実施形態についてのＧ23−Ｇ45、Ｇaa／Ｔ5、Ｇ23／Ｇ12、ＡＬＴ／Ｔ2の値を示しており、本発明の光学撮像レンズが式（１）／（１’）／（１”）、（２）／（２’）、（３）／（３’）、（４）／（４’）を満たしていることは明らかである。
【００７６】
次に、図２７を参照すると、上述の光学撮像レンズを適用した携帯機器２０の第１の実施形態についての例示的な構造図を示している。携帯機器２０は、ハウジング２１と、ハウジング２１内に配置された撮影モジュール２２と、を備える。携帯機器２０は、一例として携帯電話機とすることができる。ただし、これに限定されない。
【００７７】
図２７に示すように、撮影モジュール２２は、５つのレンズ素子を有する上述の光学撮像レンズである例えば第１の実施形態の光学撮像レンズ１と、光学撮像レンズ１を位置決めするためのレンズ鏡筒２３と、レンズ鏡筒２３を位置決めするためのモジュール収容ユニット２４と、光学撮像レンズ１の像側に配置される撮像センサ１７１と、を備えることができる。像面１７０は、撮像センサ１７１上に形成される。
【００７８】
他のいくつかの例示的な実施形態では、フィルタユニット１６０の構成を省くことができる。いくつかの例示的な実施形態では、ハウジング２１、レンズ鏡筒２３、および／またはモジュール収容ユニット２４は、１つのコンポーネントに統合するか、または複数のコンポーネントで組み立てることができる。
いくつかの例示的な実施形態では、本実施形態で用いる撮像センサ１７１は、チップ・オン・ボード（ＣＯＢ：Ｃｈｉｐ  Ｏｎ  Ｂｏａｒｄ）パッケージの形態で基板１７２に直接装着されており、そのようなパッケージは、従来のチップ・スケール・パッケージ（ＣＳＰ：Ｃｈｉｐ  Ｓｃａｌｅ  Ｐａｃｋａｇｅ）とは異なり、ＣＯＢパッケージが、光学撮像レンズ１における撮像センサ１７１の前面にカバーガラスを必要としない。上述の例示的な実施形態は、このパッケージ型式に限定されるものではなく、また、他の記載の実施形態に選択的に組み込むことができる。
【００７９】
５つのレンズ素子１１０、１２０、１３０、１４０、１５０は、隣接する２つのレンズ素子間を空隙により分離するようにして、レンズ鏡筒２３内に配置される。
【００８０】
モジュール収容ユニット２４は、レンズ支持台座２４０１と、このレンズ支持台座２４０１と撮像センサ１７１との間に配置される撮像センサ台２４０６と、を含んでいる。レンズ鏡筒２３とレンズ支持台座２４０１は同一の軸Ｉ−Ｉ’に沿って配置され、レンズ鏡筒２３はレンズ支持台座２４０１の内部に配置される。
【００８１】
光学撮像レンズ１の長さは僅か４．５６（ｍｍ）であるので、携帯機器２０のサイズは極めて小さくすることができる。従って、本明細書に記載の実施形態は、小型化された製品設計に対する市場の需要を満たすものである。
【００８２】
次に、図２８を参照すると、上述の光学撮像レンズ１を適用した携帯機器２０’の第２の実施形態についての別の構造図を示している。携帯機器２０’と携帯機器２０との違いの１つは、レンズ支持台座２４０１が、第１の台座要素２４０２と、第２の台座要素２４０３と、コイル２４０４と、磁気ユニット２４０５と、を含むことと、することができる。
第１の台座要素２４０２は、レンズ鏡筒２３の外側に近接して、軸Ｉ−Ｉ’に沿って配置されており、第２の台座要素２４０３は、第１の台座要素２４０２の外側の周りにあって、軸Ｉ−Ｉ’に沿って配置されている。コイル２４０４は、第１の台座要素２４０２と第２の台座要素２４０３の内側との間に配置されている。磁気ユニット２４０５は、コイル２４０４の外側と第２の台座要素２４０３の内側との間に配置されている。
【００８３】
レンズ鏡筒２３と、その中に配置された光学撮像レンズ１は、軸Ｉ−Ｉ’に沿って動くように、第１の台座要素２４０２により駆動される。センサ台２４０６は、第２の台座要素２４０３に近接している。例えばＩＲカットであるフィルタユニット１６０は、センサ台２４０６上に配置される。携帯機器２０’の残りの構造は、携帯機器２０と同様である。
【００８４】
同様に、光学撮像レンズ１の長さが４．５６（ｍｍ）と短縮されていることから、携帯機器２０’は、小型に設計することができると同時に、それでも良好な光学性能が得られる。従って、本実施形態は、小型の製品設計に対する需要および市場の要求を満たすものである。
【００８５】
上記の実例によれば、例示的な実施形態における携帯機器およびその光学撮像レンズは、５つのレンズ素子間の光軸に沿った空隙すべての和に対する少なくとも１つのレンズ素子の中心厚の比率を所定範囲内に制御するとともに、レンズ素子の詳細な構造および／または屈折力を組み込むことによって、光学撮像レンズの長さが効果的に短縮されると同時に、それでも良好な光学特性が得られることは、明らかである。
【００８６】
開示された原理による種々の実施形態について上記で説明したが、当然のことながら、これらは単なる例として提示したものにすぎず、限定するものではない。
よって、例示的な実施形態の広さおよび範囲は、上記実施形態のいずれによっても限定されるべきではなく、請求項および本開示に係るそれらの均等物によってのみ規定されるべきである。
また、記載した実施形態において上記効果および特徴を提示しているが、それらは、上記効果の一部またはすべてを実現するプロセスおよび構造への、かかる請求項の適用を限定するものではない。
【００８７】
また、本明細書におけるセクションの見出しは、本開示に係るいかなる請求項で記載される発明も、限定または特徴付けするものではない。特に、「背景技術」における技術の記載は、技術が、本開示の発明の先行技術であることを認めるものと解釈されるべきではない。また、本開示における単数形での「発明」という表現は、本開示における新規な点が１つのみであることを主張するために用いられるものではない。本開示に係る複数の請求項での限定に従って複数の発明を規定することができ、よって、かかる請求項は、それらにより保護される発明およびそれらの均等物を規定するものである。いずれの場合も、かかる請求項の範囲は、本開示に照らして、それらの実体によって解釈されるものとし、本明細書の見出しによって制限されるべきではない。
【図１】
2014081626.tif 000018
【図２】
2014081626.tif 000019
【図３】
2014081626.tif 000020
【図４】
2014081626.tif 000021
【図５】
2014081626.tif 000022
【図６】
2014081626.tif 000023
【図７】
2014081626.tif 000024
【図８】
2014081626.tif 000025
【図９】
2014081626.tif 000026
【図１０】
2014081626.tif 000027
【図１１】
2014081626.tif 000028
【図１２】
2014081626.tif 000029
【図１３】
2014081626.tif 000030
【図１４】
2014081626.tif 000031
【図１５】
2014081626.tif 000032
【図１６】
2014081626.tif 000033
【図１７】
2014081626.tif 000034
【図１８】
2014081626.tif 000035
【図１９】
2014081626.tif 000036
【図２０】
2014081626.tif 000037
【図２１】
2014081626.tif 000038
【図２２】
2014081626.tif 000039
【図２３】
2014081626.tif 000040
【図２４】
2014081626.tif 000041
【図２５】
2014081626.tif 000042
【図２６】
2014081626.tif 000043
【図２７】
2014081626.tif 000044
【図２８】
2014081626.tif 000045